(57)【要約】      （修正有）【課題】マクロ撮影において、近距離の被写体に均等の明るさを与える角度調整可能な環状光源装置を提供する。【解決手段】固定環１１、複数の可動板１２および複数の光源１３を含む。固定環１１は、カメラ２０に装着されている。複数の可動板１２は、固定環１１上に枢着された固定端部１２１、および固定端部１２１から離れた自由端部１２２をそれぞれ有し、閉じたり開いたりする。閉じた状態では、自由端部１２２が相互に接近し、開いた状態では、自由端部１２２が相互に離れている。内表面１２３および反対側１２４にある外表面を有する。閉じた状態では、内表面１２３は互いに向かい合っている。【選択図】図１
0003165212.tif 000002
【実用新案登録請求の範囲】
【請求項１】
カメラに装着された固定環と、
前記固定環上に枢着された固定端部、および前記固定端部から離れた自由端部をそれぞれ有し、閉じたり開いたりし、閉じた状態では、前記自由端部が相互に接近し、開いた状態では、前記自由端部が相互に離れ、内表面および反対側にある外表面を有し、閉じた状態で前記内表面が互いに向かい合っている複数の可動板と、
前記複数の可動板の前記内表面上にそれぞれ配置された複数の光源と、を含むことを特徴とする角度調整可能な環状光源装置。
【請求項２】
前記複数の可動板は、前記固定環を囲むように等距離で配置されていることを特徴とする請求項１に記載の角度調整可能な環状光源装置。
【請求項３】
前記複数の可動板は、閉じた状態または開いた状態においても、両側の隣接した前記可動板と部分的に重なり、一方の側面において、隣接した前記可動板の前記外表面に接し、もう一方の側面において、隣接した前記可動板の前記内表面に接していることを特徴とする請求項２に記載の角度調整可能な環状光源装置。
【請求項４】
前記固定環および前記可動板を枢着する複数の軸棒をさらに含むことを特徴とする請求項１に記載の角度調整可能な環状光源装置。
【請求項５】
前記複数の軸棒上に設けられ、前記固定環と前記可動板との間にそれぞれ位置する複数の弾性デバイスをさらに含むことを特徴とする請求項４に記載の角度調整可能な環状光源装置。
【請求項６】
前記複数の弾性デバイスは、スプリングであることを特徴とする請求項５に記載の角度調整可能な環状光源装置。
【請求項７】
前記複数の光源は、発光ダイオードであることを特徴とする請求項１に記載の角度調整可能な環状光源装置。
【請求項８】
カメラに装着された固定環と、
前記固定環上に枢着された固定端部、および前記固定端部から離れた自由端部をそれぞれ有し、閉じたり開いたりし、閉じた状態では、前記自由端部が相互に接近し、開いた状態では、前記自由端部が相互に離れ、内表面および反対側にある外表面を有し、閉じた状態で前記内表面は互いに向かい合っている複数の可動板と、
固定環上に配置され、複数の可動板の内表面に向かって発光する複数の光源と、を含むことを特徴とする角度調整可能な環状光源装置。
【請求項９】
前記複数の可動板は、前記固定環を囲むように等距離で配置されていることを特徴とする請求項８に記載の角度調整可能な環状光源装置。
【請求項１０】
前記複数の可動板は、閉じた状態または開いた状態においても、両側の隣接した前記可動板と部分的に重なり、一方の側面において、隣接した前記可動板の前記外表面に接し、もう一方の側面において、隣接した前記可動板の前記内表面に接していることを特徴とする請求項９に記載の角度調整可能な環状光源装置。
【請求項１１】
前記固定環および前記可動板を枢着する複数の軸棒をさらに含むことを特徴とする請求項８に記載の角度調整可能な環状光源装置。
【請求項１２】
前記軸棒上に設けられ、前記固定環と前記可動板との間にそれぞれ位置する複数の弾性デバイスをさらに含むことを特徴とする請求項１１に記載の角度調整可能な環状光源装置。
【請求項１３】
前記複数の弾性デバイスは、スプリングであることを特徴とする請求項１２に記載の角度調整可能な環状光源装置。
【請求項１４】
前記複数の光源は、発光ダイオードであることを特徴とする請求項８に記載の角度調整可能な環状光源装置。
【考案の詳細な説明】
【技術分野】
【０００１】
本考案は、光源装置に関し、特に、撮影用のカメラの角度調整可能な環状光源装置に関する。
【背景技術】
【０００２】
マクロ撮影というのは、撮影装置が撮影装置のレンズから３０ｃｍ以内に位置する被写体を撮影することである。最近ではマクロ撮影が行なわれる分野は、動植物から工業製品の製造工程中の高倍率視角検査または非破壊性検査へと変化している。
【０００３】
マクロ撮影において、被写体に対する照明は、従来の撮影と比べて重要である。初期において、レンズの前部に装着された環状ストロボは、連続的な照明を提供することができなかった。撮影の瞬間にしか照明を提供することができなく、ユーザーは、被写体がストロボの光線を受けて十分な明るさを得たかどうかを判断する術がなかった。そのため、経験に基づいて絞りやシャッタースピードを調節しなければならず、失敗する確率が高かった。
【０００４】
最近、マクロ撮影の環状光源には、冷陰極管(CCFL)または発光ダイオード(LED)が多く用いられている。連続的な照明を提供し、ユーザーが撮影前に被写体の明るさを判断できるようになったが、マクロ撮影の際、環状光源が被写体に近付きすぎるため、被写体上の中央が暗く、周囲が明るいという明るさの不均等が起きてしまった。
【先行技術文献】
【特許文献】
【０００５】
【特許文献１】特開２００６−２９２７９３
【考案の概要】
【考案が解決しようとする課題】
【０００６】
本考案の目的は、マクロ撮影において、近距離の被写体に均等の明るさを与える角度調整可能な環状光源装置を提供することにある。
【０００７】
上述の目的を達成するため、本考案は、角度調整可能な環状光源装置を提供する。本考案の角度調整可能な環状光源装置は、固定環、複数の可動板および複数の光源を含む。固定環は、カメラに装着されている。複数の可動板は、固定環上に枢着された固定端部、および固定端部から離れた自由端部をそれぞれ有する。閉じたり開いたりする。閉じた状態では、自由端部が相互に接近し、開いた状態では、自由端部が相互に離れている。内表面および反対側にある外表面を有する。閉じた状態では、内表面は互いに向かい合っている。
【考案の効果】
【０００８】
本考案の角度調整可能な環状光源装置は、可動板上の光源の発光角度がレンズの光軸に対して適当な角度になるまで可動板を動かして調整することにより、被写体上の中央が暗く、周囲が明るいという明るさの不均等を解決することができる。
【図面の簡単な説明】
【０００９】
【図１】本考案の第１の実施形態による角度調整可能な環状光源装置を示す分解斜視図である。
【図２】角度調整可能な環状光源装置が閉じた動作を示す斜視図である。
【図３】角度調整可能な環状光源装置が開いた動作を示す斜視図である。
【図４】本考案の第１の実施形態による角度調整可能な環状光源装置を示す断面図である。
【図５】本考案の第２の実施形態による角度調整可能な環状光源装置を示す断面図である。
【図６】本考案の第３の実施形態による角度調整可能な環状光源装置を示す正面図である。
【考案を実施するための形態】
【００１０】
以下、本考案の実施形態を図面に基づいて説明する。
図１を参照する。図１は、本考案の第１の実施形態による角度調整可能な環状光源装置を示す分解斜視図である。図１に示すように、本考案の角度調整可能な環状光源装置１０は、カメラ２０上に装着され、被写体に照明を提供する。本実施形態においては、カメラ２０は、市販されているデジタルカメラを例として説明を加えるが、実際には、一眼レフのデジタルカメラ、外付け電子装置に接続したカメラモジュールなど映像取得装置でもよい。カメラ２０は、本体２１、および本体２１に連接するレンズ２２を含む。
【００１１】
角度調整可能な環状光源装置１０は、レンズ２２の前部に装着され、固定環１１、複数の可動板１２および複数の光源１３を含む。固定環１１は、カメラ２０のレンズ２２上に装着され、取り外しが便利なように螺着により連接されている。可動板１２は、固定環１１を囲むように等距離で配置されている。可動板１２は、固定環１１上に枢着された固定端部１２１、および固定端部１２１から離れた自由端部１２２をそれぞれ有する。また、可動板１２は、内側に凹んだ外表面１２４、および反対側の外側に凸出した外表面１２４を有する。光源１３は、可動板１２の内表面１２３上にそれぞれ配置された発光ダイオードである。
【００１２】
前記の構成を詳細に説明すると、固定環１１と可動板１２との間は、軸棒１４により枢着を行なう。軸棒１４上に嵌合され、固定環１１と可動板１２との間にそれぞれ位置する複数の弾性デバイス１５により、固定環１１と可動板１２との間の摩擦力が提供される。可動板１２が外部からの力により必要な位置まで動かされると、可動板１２はその位置に固定され、振動により容易に位置を変えることはない。弾性デバイス１５は、スプリング、ゴム環などの弾性デバイスである。
【００１３】
図２および図３を参照して説明する。図２は、角度調整可能な環状光源装置が閉じた動作を示す斜視図である。図３は、角度調整可能な環状光源装置が開いた動作を示す斜視図である。図２および図３に示すように、手またはその他の外部からの力により可動板１２が動かされると、角度調整可能な環状光源装置１０は、閉じたり開いたりする。閉じた状態では、可動板１２の自由端部１２２が相互に接近し、可動板１２の内表面１２３が互いに向かい合っている。開いた状態では、可動板１２の自由端部１２２が相互に離れ、可動板１２の内表面１２３が被写体に向き、内表面１２３の光源１３により被写体に発光が行なわれる。
【００１４】
ここで重要なのは、可動板１２は、閉じた状態または開いた状態においても、両側の隣接した可動板１２とそれぞれ部分的に重なっていることである。どの可動板１２も、一方の側面において、隣接した可動板１２の外表面１２４に接し、もう一方の側面において、隣接した可動板１２の内表面１２３に接している。これにより、閉じた状態または開いた状態においても、可動板１２が外部から力を受け、内側または外側に動かされた場合、他の可動板１２を連動して内側または外側に動かすことができ、一つ一つそれぞれの可動板１２を動かす必要がなく、とても便利である。
【００１５】
図４を参照する。図４は、本考案の第１の実施形態による角度調整可能な環状光源装置を示す断面図である。図４に示すように、可動板１２を動かす角度は、ユーザーが自由に選択することができる。ユーザーは、被写体などの撮影条件により可動板１２上の光源１３の発光角度がレンズ２２の光軸Ｉに対して適当な角度になるまで調整することができる。これにより、従来技術において、問題であった被写体上の中央が暗く、周囲が明るいという明るさの不均等を解決することができる。
【００１６】
図５を参照して説明する。図５は、本考案の第２の実施形態による角度調整可能な環状光源装置を示す断面図である。図５に示すように、本実施形態は、第１の実施形態と基本的に同様であるが、複数の光源１３が固定環１１上に配置されているのが異なる。光源１３は、可動板１２の内表面１２３に向かって発光し、内表面１２３の反射により被写体に発光を行なわれるが、この方法によっても本考案の効果が得られる。
【００１７】
図６を参照して説明する。図６は、本考案の第３の実施形態による角度調整可能な環状光源装置を示す正面図である。図６に示すように、本実施形態は、第１の実施形態と基本的に同様であるが、可動板１２の数量が三つしかなく、可動板１２と可動板１２との間において、重なっていないのが異なる。可動板１２を一つ一つ動かす必要があるが、数量が少なく、ユーザーに負担をかけないため、この方法もまた便利である。
【００１８】
使用に際して、注意しなければならないのは、角度調整可能な環状光源装置１０をレンズ２２を囲むように本体２１上に固定する場合、光源１３の放射する光線がレンズ２２に邪魔されないように、角度調整可能な環状光源装置１０およびレンズ２２の長さを考慮することである。
【００１９】
以上ように、本考案の各実施形態では、角度調整可能な環状光源装置が、可動板上の光源の発光角度がレンズの光軸に対して適当な角度になるまで可動板を動かして調整できるので、被写体上の中央が暗く、周囲が明るいという明るさの不均等が解消でき、被写体を均等の明るさで照射することが可能となる。
【００２０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案登録請求の範囲で指定した内容を基準とする。
【符号の説明】
【００２１】
１０  角度調整可能な環状光源装置
１１  固定環
１２  可動板
１３  光源
１４  軸棒
１５  弾性デバイス
２０  カメラ
２１  本体
２２  レンズ
１２１  固定端部
１２２  自由端部
１２３  内表面
１２４  外表面
【図１】
0003165212.tif 000003
【図２】
0003165212.tif 000004
【図３】
0003165212.tif 000005
【図４】
0003165212.tif 000006
【図５】
0003165212.tif 000007
【図６】
0003165212.tif 000008